(57)【特許請求の範囲】
【請求項１】
複数層の積層構造を有するデスク天板において、周囲が下方に断面略コ字状に折曲形成された折曲縁の下辺部に係合段部を形成してエッジ部とされた基板材と、この基板材の表面に重ねておかれる表面材と、この表面材の周縁と前記基板材の折曲縁とに跨って嵌合し得る断面略コ字状を有し下辺部に前記エッジ部が係合する係合段部が形成された縁材とで構成され、前記基板材の表面に表面材を無接着として重ね、これら表面材と基板材との周縁に前記縁材を圧嵌めしてその係合段部に基板材のエッジ部を係合させることにより抜け止めして基板材と表面材とを固着するようにしたことを特徴とするデスク天板。
【請求項２】
複数層の積層構造を有するデスク天板において、周囲が下方に断面略コ字状に折曲形成された折曲縁を有する基板材と、前記折曲縁の内側に嵌着され下面に係合段部を形成してエッジ部とされた骨材と、前記基板材の表面に重ねておかれる表面材と、この表面材の周縁と前記基板材の折曲縁とに跨って嵌合し得る断面略コ字状を有し下辺部に前記エッジ部が係合する係合段部が形成された縁材とで構成され、前記基板材の表面に表面材を無接着として重ね、これら表面材と基板材との周縁に前記縁材を圧嵌めしてその係合段部に骨材のエッジ部を係合させることにより抜け止めして基板材と表面材とを固着するようにしたことを特徴とするデスク天板。
【請求項３】
複数層の積層構造を有するデスク天板において、周囲が下方に断面略コ字状に折曲形成された折曲縁を有する基板材と、前記折曲縁の内側に嵌着される骨材と、前記基板材の表面に重ねておかれる表面材と、この表面材の周縁と前記基板材の折曲縁とに跨って嵌合し得る断面略コ字状を有する縁材とで構成され、前記折曲縁または骨材の下辺部に係合段部を形成してエッジ部とされ、前記縁材はその下辺部に前記エッジ部が係合する係合段部が形成されており、前記骨材の下面に自由端が基板材の外側方に向く弾性を有する所要数の係合爪を設け、この係合爪が設けられる部位の前記折曲縁の下辺部に切欠部を形成してなり、前記基板材の表面に表面材を無接着として重ね、これら表面材と基板材との周縁に前記縁材を圧嵌しめて前記係合段部に前記エッジ部を係合させるとともに前記係合爪の先端を係合させ、前記エッジ部を抜け止めすると同時に前記係合爪で前記係合段部を弾圧して基板材と表面材とを固着するようにしたことを特徴とするデスク天板。
【請求項４】
前記骨材は板材を断面略Ｕ字状に折曲して形成され、その下面に前記係合爪が切り起こして形成されている請求項３記載のデスク天板。
【請求項５】
前記天板の適所に前記基板材に対し表面材の浮き上がりを防ぐ鍔付きの圧接具が挿着されている請求項１〜３のいずれか１項記載のデスク天板。
【請求項６】
前記圧接具は上下に貫通する通線孔を有している請求項５記載のデスク天板。
【発明の詳細な説明】
【０００１】
【発明の属する技術分野】
本発明は、主として事務用デスクの天板に係り、特に廃棄時に材質別の分離解体を容易とするデスク天板に関する。
【０００２】
【従来の技術】
従来の事務用デスクの天板は、基板材としてスチールや合板等が用いられ、その表面にメラミン樹脂系の化粧板を表面材として接着剤により接着し、周囲は射出成形や押し出し成形により形成された化粧縁を接着剤による接着あるいは圧嵌め等により固着して体裁を整え、商品化するようになされている。
【０００３】
【発明が解決しようとする課題】
しかるに上記従来の構造では、デスクの長期使用による耐用寿命によってこれを廃棄するとき、基板材と表面材、および化粧縁が接着剤により接着されているため、これら構成部材を分解して材質別に分別廃棄することが困難であり、それ故リサイクルができず、全体を廃棄物として処分するほかに方法がなかった。
【０００４】
本発明は、デスク天板の接着による組立構造を廃し、かつボルトやネジ類の止着具を一切用いることなく組立てることができ、分解時には簡単な工具により構成部材ごとに容易に分解を可能として、耐用寿命を終えたデスク天板を材質別に分解してリサイクルに供することができるデスク天板を提供することを課題としてなされたものである。
【０００５】
【課題を解決するための手段】
上記課題を解決する手段として本発明は、複数層の積層構造を有するデスク天板において、周囲が下方に断面略コ字状に折曲形成された折曲縁の下辺部に係合段部を形成してエッジ部とされた基板材と、この基板材の表面に重ねておかれる表面材と、この表面材の周縁と前記基板材の折曲縁とに跨って嵌合し得る断面略コ字状を有し下辺部に前記エッジ部が係合する係合段部が形成された縁材とで構成され、前記基板材の表面に表面材を無接着として重ね、これら表面材と基板材との周縁に前記縁材を圧嵌めしてその係合段部に基板材のエッジ部を係合させることにより抜け止めして基板材と表面材とを固着するようにしたことを特徴とする。
【０００６】
前記基板材の折曲縁内に骨材が設けられる場合は、この骨材の下辺部にエッジ部を形成するようにしてもよい。
【０００７】
表面材を構成する素材の性質により基板材への強い圧接力を必要とする場合には、前記基板材の周縁の折曲縁の内側に骨材を嵌着し、この骨材の下面に自由端が基板材の外側方へ向く弾性を有する所要数の係合爪を設け、この係合爪が設けられる部位の前記折曲縁の下辺部に切欠部を形成し、前記基板材の表面に表面材を無接着として重ね、これら表面材と基板材との周縁に前記縁材を圧嵌めして前記係合段部に基板材のエッジ部を係合させるとともに前記係合爪の先端を係合させ、前記エッジ部で抜け止めすると同時に前記係合爪で前記係合段部を弾圧して基板材と表面材とを固着するように構成することができる。
【０００８】
前記骨材を板材を断面略Ｕ字状に折曲して形成すれば、その下面に係合爪を切り起こして形成することができ、製造も容易となるので好ましい。
【０００９】
また天板を構成する表面材の材質等により中央部分に圧接力が必要な場合には、前記天板の適所に鍔付きの圧接具を挿着することにより表面材の浮き上がりを防ぐことができる。またこの圧接具に上下に貫通する通線孔を設ければ、この圧接具を利用して天板上のＯＡ機器のケーブルを床の電源等に導くことができるようにすることができる。
【００１０】
【発明の実施の形態】
以下、本発明を図面に示す実施の形態を参照して説明する。
【００１１】
図１は本発明によるデスク天板１を事務用デスクに適用した場合の一例を示すもので、このデスク自体は従来のものと同様であり、デスク天板１は左右の脚２２の上部に固着され、これら脚２，２の後部には幕板３が取り付けられたものである。
【００１２】
本発明によるデスク天板１は、図２〜図６に示すように、基板材４、表面材５、および縁材６で構成されている。
【００１３】
上記基板材４は鉄板等の金属板で構成され、その四周は下方に直角に折曲された垂直辺部７とその下端を基板材４に平行する方向に折曲された下辺部８とで断面略コ字状をなす折曲縁９とされており、この折曲縁９の内側には同じく金属板を断面略Ｕ字形に折曲形成された骨材１０が嵌合され、この骨材１０はその取付片１０ａにより基板材４の下面に接着または溶着等により固定されている。
【００１４】
前記折曲縁９の下辺部８の先端は前記垂直辺部７に対し鈍角をなすように形成して係合段部とされていてその先端部がエッジ部１１とされ、前記骨材１０の下面に対し離間した形態とされている。
【００１５】
前記表面材５はメラミン系樹脂製等の化粧板からなり、前記基板材４の上面と同じ大きさを有していて該基板材４の上面に無接着で重ねて置かれる。
【００１６】
前記縁材６は、基板材４および表面材５の各辺の長さに対応する４本を有し、アルミニウム等の軽金属材による押し出し成形等により形成されるもので、縦辺部１２と上辺部１３と下辺部１４とで断面が略コ字状に形成されており、前記縦辺部１２の内面側にはコーナー用縁材６′の平面視直角方向に突出する差し込み片１５、１５が可及的密に嵌入し得るよう該縦辺部１２と前記折曲縁９の垂直辺部７の外側面とで空洞部１６を構成するための溝１７が形成されている。
前記縁材６の上辺部１３は下辺部１４より短く形成されるとともにその先端がやや下方に向くよう傾斜して形成され、その先端が基板材４の上面に重ねて置かれる表面材５の周辺の上面に圧接されるようになっている。
【００１７】
上記縁材６の下辺部１４は前記折曲縁９の下辺部８の折曲長さを超えて延びる長さを有し、その下辺部１４の上面には前記縦辺部１２の基部から前記折曲縁９の下辺部８の折曲長さと略等しい幅の溝１８が形成され、この溝１８の形成により下辺部１４の先端上面に突部１９が形成されていて、これらにより前記折曲縁９の下辺部８のエッジ部１１が係合し得る係合段部２０とされている。前記突部１９の上面は外端に向けて下り傾斜する傾斜面１９ａとされており、分解時にドライバーなどの先端が偏平な工具を差し込んで外しやすくされている。
【００１８】
したがってこの実施形態によれば、基板材４とこの基板材４の上面に無接着で重ねて置かれる表面材５との周縁に予めコーナー用縁材６’を挿着した縁材６を嵌合すると、その下辺部１４の突部１９が折曲縁９の下辺部８の先端のエッジ部１１を超えて係合し、そのエッジ部１１は図６に示すように係合段部２０に係合して抜け止めされるとともにエッジ部１１を含む下辺部８の下方への弾発力により縁材６を下方に押圧し、その反力で縁材６の上辺部１３の先端が表面材５の上面を強固に押圧して基板材４への密着性を保持し、表面材５が基板材４に非接着で固定される。
【００１９】
こうして基板材４および表面材５の四辺およびコーナー部に縁材６およびコーナー用縁材６′を取り付けることによりデスク天板１が得られる。縁材６を外す場合は、縁材６の下辺部１４の突部１９と骨材１０との間にマイナスドライバー等の工具を差し込んでエッジ部１１を係合段部２０から外せば容易に分離させることができる。
【００２０】
上記実施形態ではエッジ部１１を基板材４の折曲縁９の下辺部８に形成した場合について説明したが、図４に示すように骨材１０の下面に形成するようにしてもよい。またエッジ部１１は必ずしも鈍角をなさずとも、縁材６の係合段部２０に係合し得れば角度を付けなくてもよい。さらに縁材６の側面の開放面の上下間隔を基板材４および表面材５の合体厚より小さくなるよう若干閉じた形態とし、縁材６を嵌着したとき縁材６の弾性を加担させるようにしてもよい。
【００２１】
図７〜図１０は、表面材５の材質により基板材４に対し大きい圧接力を必要とする場合の一実施形態を示すもので、前記骨材１０の下面に自由端２１ａが基板材４の外側方に向く弾性を有する係合爪２１が所要数切り起こして形成され、その自由端２１ａは骨材１０の下面より下方に位置するよう下方に向け傾斜して屈曲されている。
【００２２】
一方、上記係合爪２１が設けられる部位の前記折曲縁９の下辺部８には切欠部２２が形成されており、この切欠部２２を通じて前記係合爪２１が前記縁材６の係合段部２０の溝１８の底部に当り、この係合段部２０すなわち下辺部１４を下方に向けて押圧するようになっている。
【００２３】
したがってこの実施形態によれば、基板材４の上面に表面材５を無接着で重ね、その周縁に縁材６を前記実施形態の場合と同様にして嵌着させれば、折曲縁９の下辺部８のエッジ部１１が縁材６の係合段部２０に係合すると同時に骨材１０の係合爪２１が係合段部２０の底面に係合し、これらにより縁材６の下辺部１４がエッジ部１１と係合爪２１との協働作用によってより強力に下方へ押圧され、縁材６の上辺部１３の先端を表面材５に強力に押しつけることになり、基板材４に対し表面材５をより強固に固定することができる。
【００２４】
基板材４に対し表面材５は非接着であるため、その表面材５の浮き上がりを防止したい場合には、図１１（Ａ）の中央１箇所、あるいは図１１（Ｂ）のように左右２箇所に浮き上がり防止用の圧接具を取り付けるようにすることができる。
図１２〜図１４に示す圧接具２３は、表面材５および基板材４に穿設された取付孔２４，２５を貫通し得る円筒部２６と、この円筒部２６の上端に設けられ該円筒部２６より大径の鍔部２７とで構成され、上記円筒部２６は軸方向にいくつかのスリット２８により外側面が下すぼまりの傾斜面２９ａとされたいくつかの係止部２９，２９を有し、この係止部２９の上端と前記鍔部２７の下面との間の間隔が前記表面材５と基板材４とを合体した厚みと略等しくされ、かつこの係止部２９の上端面２９ｂは凸円弧面とされていて、この係止部２９が外側方へ拡張変位することにより鍔部２７の下面に対する間隔が次第に狭くなるように形成されていて、上記凸円弧状の上端面２９ｂが基板材４の下面に圧接されるようになっている。
【００２５】
したがって上記圧接具２３の円筒部２６を表面材５および基板材４の取孔付２４，２５の上方から圧入すると、これら取付孔の内周で係止部２９，２９…の外側面の傾斜面２９ａが押されてスリット２８，２８…により縮径し、その係止部２９が基板材４の取付孔２５を通過したとき円筒部２６が拡径してその係止部２９，２９…の上端面２９ｂが基板材４の下面にそっておかれる。このとき前記上端面２９ｂが凸円弧状をなしているので円筒部２６が拡径するにつれて上端面２９ｂが基板材４の下面に圧接し、表面材５と基板材４とが隙間なく密着され、表面材５の浮き上がりが防止される。
【００２６】
図１５〜図１７はデスク天板１上に置かれるＯＡ機器のケーブル類をデスク天板１を挿通して床面の電源等に導けるようにしたい場合に用いる圧接具３０の一例を示している。この場合も図１５（Ａ）の中央１箇所あるいは図１５（Ｂ）のように左右２箇所に圧接具３０を取り付けるようにすることができる。
【００２７】
上記圧接具３０は、図１６に分離して示すように同図（Ｂ）の圧接具本体３１と、同図（Ａ）のキャップ３２とで構成されている。
【００２８】
上記圧接具本体３１は、表面材５および基板材４に突設された取付孔に可及的密に挿通する円筒部３３と、この円筒部３３の上端に外側方に突出するリング状の鍔部３４とを有し、この円筒部３３の周面に複数の係止片３５，３５…がスリット３６，３６により上向きに切り起こされ、その外側面は図１２〜図１４の場合と同様に下向きの傾斜面３５ａとされているとともに上端面３５ｂが凸円弧面とされ、この係止片３５，３５…が外側方へ拡張変位することにより前記鍔部３４の下面に対する間隙が狭くなるように形成されていて、上記凸円弧状の上端面３５ｂが基板材４の下面に圧接されるようになっている。また前記円筒部３３の前記係止片３５，３５…の間の位置には係合孔３７，３７…が形成されている。
【００２９】
前記キャップ３２は、前記圧接具本体３１の鍔部３４の内周に形成された段部３８に係合する円板状の蓋板３９と、この蓋板３９の下面に垂設され前記圧接具本体３１の円筒部３３の内周に可及的密に嵌挿される短い円筒部４０とで構成され、この円筒部４０には前記圧接具本体３１の円筒部３３に形成された係合孔３７，３７…に係合し得る係止爪４１，４１…がスリット４２，４２により切り起こして形成されており、このキャップ３２の円筒部４０を圧接具本体３１の円筒部３３に挿入して蓋板３９を前記段部３８に嵌め付けたとき前記係止爪４１，４１…が圧接具本体３１の係合孔３７，３７…の上縁に係合して抜け止めされるようになっている。
【００３０】
また前記蓋板３９の直径方向２位置には破断除去または開閉自在な小蓋４３，４３が設けられており、細いコード類はこの小蓋４３を開けて円筒部４０内に通線することができるようになっている。
【００３１】
したがって前記圧接具３０の圧接具本体３１の円筒部３３を表面材５および基板材４の取付孔に上方から圧入すると、これら取付孔の内周で係止部３５，３５…の傾斜面３５ａが押されてスリット３６，３６により縮径し、その係止部３５が基板部４の取付孔を通過したとき係止部３５が復元してその上端面３５ｂが基板材４の下面にそっておかれ、鍔部３４の下面と係止部３５の上端面とで表面材５と基板材４とを圧接させ、表面材５の浮き上がりが防止される。
【００３２】
デスク天板１上から１〜２本のケーブルを挿通したいときはキャップ３２の蓋板３９の小蓋４３を開け、圧接具３０にケーブルを通して床へ導くことができ、また多数本のケーブルを通すときは圧接具本体３１からキャップ３０を外して圧接具本体３１にケーブルを通すことにより床へ導くことができる。
【００３３】
なおこれら圧接具２３，３０に関しては図示の例に限られることはなく、他の構成によるものであってもよい。
【００３４】
【発明の効果】
以上説明したように本発明によれば、デスク天板の基板材と表面材とを無接着として単に重ね合わせ、その周縁に縁材を嵌着させるのみで固定してデスク天板とするようにしたので、デスクの廃棄時に縁材を基板材のエッジ部から外すだけで基板材，表面材，縁材がそれぞれ分離され、したがって材質別の分別廃棄が容易であり、したがってこれら資材を再利用に供することが可能となってリサイクルを容易に達成することができる。また表面材が破損したり汚損したような場合に別の表面材との交換が自由にでき、これに伴いデスクの雰囲気を変えたい場合なども容易に変更することができる。
【００３５】
請求項３のように、エッジ部とは別に係合爪を設ければ、前記エッジ部と係止爪との双方の弾性により縁材の上辺部を表面材に圧接させることができ、表面材の一層強固な固定を図ることができる。
【００３６】
さらにデスク天板の適所に圧接具を設ければ、表面材の中央の浮き上がりを防止することができ、この圧接具に通線孔を設ければこの圧接具を利用してデスク天板上に置かれるＯＡ機器のケーブルを特別な通線孔をデスク天板に形成せずとも天板下に導くことができる。
【図面の簡単な説明】
【図１】本発明を適用した事務用デスクの一例を示す斜視図。
【図２】本発明によるデスク天板の基板材の一部を示す下面側からみた斜視図。
【図３】図２のＡ−Ａ断面図。
【図４】エッジ部の他の例を示す図３相当図。
【図５】本発明によるデスク天板の構成部材を分離して示す一部の斜視図。
【図６】同、組み立て状態を示す一部の断面図。
【図７】本発明の他の実施形態における基板材の一部を示す下面側からみた斜視図。
【図８】図７のＢ−Ｂ断面図。
【図９】本発明の他の実施形態の構成部材を分解して示す一部の斜視図。
【図１０】同、組み立て状態を示す一部の断面図。
【図１１】表面材の浮き上がりを防ぐ場合の圧接具の取り付け位置を示し、（Ａ）は中央１箇所に、（Ｂ）は左右の２箇所に設けることを示す斜視図。
【図１２】圧接具の一例の取り付け過程を示す斜視図。
【図１３】同、取り付け後の断面を示す斜視図。
【図１４】同、取り付け状態を示し、（Ａ）は正面図、（Ｂ）は側面図。
【図１５】（Ａ），（Ｂ）は通線孔を設けた圧接具の取り付け位置を示す図１１相当図。
【図１６】図１５に用いられる圧接具の一例を示し、（Ａ）はキャップ、（Ｂ）は圧接具本体の斜視図。
【図１７】同、取り付け後の断面図。
【符号の説明】
１  本発明によるデスク天板
４  基板材
５  表面材
６  縁材
６′  コーナー用縁材
９  折曲縁
１０  骨材
１１  エッジ部
２０  係合段部
２１  係合爪
２２  切欠部
２３、３０  圧接具
２７  鍔部
２９  係止部
３１  圧接具本体
３２  キャップ
３５  係止片
【図１】
0004583542.tif 000002
【図２】
0004583542.tif 000003
【図３】
0004583542.tif 000004
【図４】
0004583542.tif 000005
【図５】
0004583542.tif 000006
【図６】
0004583542.tif 000007
【図７】
0004583542.tif 000008
【図８】
0004583542.tif 000009
【図９】
0004583542.tif 000010
【図１０】
0004583542.tif 000011
【図１１】
0004583542.tif 000012
【図１２】
0004583542.tif 000013
【図１３】
0004583542.tif 000014
【図１４】
0004583542.tif 000015
【図１５】
0004583542.tif 000016
【図１６】
0004583542.tif 000017
【図１７】
0004583542.tif 000018